(57)【特許請求の範囲】
【請求項１】
予測される事象に対応して音声情報を有する音声ファイルを保持するディスクにより構成される記憶媒体と、
音声を再生して送信する事象が発生したのか、音声ファイルを送信する事象が発生したのかを検出すると共に、発生した事象に対応する音声情報が入った音声ファイルから音声情報の再生を指示し、また、発生した事象に対応する音声情報が入った音声ファイルを指示する検出手段と、
前記検出手段による指示を受け、前記音声ファイルにおける音声情報を再生し必要な加工合成を行って再生音声情報を作成して転送する第１の処理と、音声情報が入った音声ファイルの音声情報に必要な加工合成を行った音声ファイルを作成して転送する第２の処理とを行う送信音声情報作成手段と、
前記送信音声情報作成手段の第１の処理により作成された再生音声情報の転送を受けてこれを送信する処理と、前記送信音声情報作成手段の第２の処理により作成された音声ファイルの転送を受けてこれを送信する処理を行う音声送信手段とを具備し、
前記検出手段がコンピュータにおけるＣＰＵボードにより構成され、前記送信音声情報作成手段がオーディオボードにより構成され、前記音声送信手段が通信制御ボードによりにより構成されており、前記ＣＰＵボードは前記指示を前記オーディオボードへ送りまた前記通信制御ボードへ送信要求を送るものであり、
前記オーディオボードは前記ＣＰＵボードからの要求に基づき作成した再生音声情報または音声ファイルを前記通信制御ボードへ転送するものであり、前記通信制御ボードは前記オーディオボードから転送された再生音声情報または音声ファイルを前記制御ボードによる送信要求に応じて送信するものであることを特徴とする音声情報送信装置。
【請求項２】
予測される事象に対応して音声情報を有する音声ファイルを保持するディスクにより構成される記憶媒体と、音声を再生して送信する事象が発生したのか、音声ファイルを送信する事象が発生したのかを検出すると共に、発生した事象に対応する音声情報が入った音声ファイルから音声情報の再生を指示し、また、発生した事象に対応する音声情報が入った音声ファイルを指示する検出手段と、前記検出手段による指示を受け、前記音声ファイルにおける音声情報を再生し必要な加工合成を行って再生音声情報を作成して転送する第１の処理と、音声情報が入った音声ファイルの音声情報に必要な加工合成を行った音声ファイルを作成して転送する第２の処理とを行う送信音声情報作成手段と、前記送信音声情報作成手段の第１の処理により作成された再生音声情報の転送を受けてこれを送信する処理と、前記送信音声情報作成手段の第２の処理により作成された音声ファイルの転送を受けてこれを送信する処理を行う音声送信手段とを具備し、前記検出手段がコンピュータにおけるＣＰＵボードにより構成され、前記送信音声情報作成手段がオーディオボードにより構成され、前記音声送信手段が通信制御ボードによりにより構成されており、前記ＣＰＵボードは前記指示を前記オーディオボードへ送りまた前記通信制御ボードへ送信要求を送るものであり、前記オーディオボードは前記ＣＰＵボードからの要求に基づき作成した再生音声情報または音声ファイルを前記通信制御ボードへ転送するものであり、前記通信制御ボードは前記オーディオボードから転送された再生音声情報または音声ファイルを前記制御ボードによる送信要求に応じて送信するものであることを特徴とする音声情報送信装置と、
音声情報を有する音声ファイルを保持するディスクにより構成される記憶媒体と、音声ファイルの音声情報から再生された再生音声情報のいずれをも受信する音声受信手段と、この音声受信手段により受信された再生音声情報をスピーカから出力する音声信号へ変換すると共に、音声ファイルの音声情報をスピーカへ出力する音声信号へ変換する音声信号変換手段と、前記音声受信手段と前記音声信号変換手段とを制御して受信信号を前記スピーカから発生させるように制御する制御手段とを具備し、前記音声受信手段と前記音声信号変換手段と前記制御手段がそれぞれ、前記音声情報送信装置のコンピュータと異なるコンピュータにおける通信制御ボード、オーディオボード、ＣＰＵボードにより構成されていることを特徴とする音声情報受信装置と
を具備することを特徴とする音声情報通信システム。
【発明の詳細な説明】
【０００１】
【発明の属する技術分野】
この発明は音声情報送信装置及び音声情報通信システムに関するものである。
【０００２】
【従来の技術】
従来のこの種のシステムは、図６に示すように送信局Ａと受信局Ｂとの間を回線Ｃにより接続して構成されている。送信局Ａは、主制御部１１と送信制御部１２を備える送信側主装置１と、音声情報の処理機能を受け持つ音声再生装置２と、音声情報を伝送する伝送装置３とにより構成されている。また、受信局Ｂは主制御部４１と受信制御部４２を備える受信側主装置４と、増幅機能を持つ音声増幅装置５と、音声情報を伝送する伝送装置６とにより構成されている。
【０００３】
送信側主装置１の主制御部１１は、ある特定の事象を検知すると音声再生装置２（音声合成装置を含む）を制御して例えば磁気テープに記録されたアナログ音声情報を再生するか、メモリＩＣに記憶されたディジタル音素情報を合成して音声情報を合成する。このようにして用意された音声情報は、送信制御部１２へ送出され、送信制御部１２から伝送装置３、回線Ｃ、伝送装置６を介して受信側主装置４の受信制御部４２へ到り、ここから主制御部４１へ伝達される。ここで主制御部４１は伝達された情報内容の分析及び判定を行い、その結果により音声増幅装置５をオンにしてスピーカ等から音声を出力する。
【０００４】
【発明が解決しようとする課題】
しかしながら、このような構成による従来システムは、システムを構成する独立した構成装置が多いという問題があり、特に、音声再生装置２はハードウェアが複雑で大型であり、高価である等という問題点があった。また、音声再生装置２において音声情報をアナログ情報としてメモリや磁気テープ等の記憶媒体に保存している場合があるが、特に磁気テープの場合には物理的な消耗が発生する等の問題点があった。
【０００５】
本発明は上記のような従来の音声情報送信装置、音声情報受信装置及び音声情報通信システムが有する問題点を解決せんとしてなされたもので、その目的は、構成の簡素化及び小型化を図ることができ、従来の磁気テープなどに比べて物理的な消耗が少なく適切に音声情報の保存を図ることが可能な音声情報送信装置、音声情報通信システムを提供することである。
【０００６】
【課題を解決するための手段】
本発明に係る音声情報送信装置は、予測される事象に対応して音声情報を有する音声ファイルを保持するディスクにより構成される記憶媒体と、音声を再生して送信する事象が発生したのか、音声ファイルを送信する事象が発生したのかを検出すると共に、発生した事象に対応する音声情報が入った音声ファイルから音声情報の再生を指示し、また、発生した事象に対応する音声情報が入った音声ファイルを指示する検出手段と、前記検出手段による指示を受け、前記音声ファイルにおける音声情報を再生し必要な加工合成を行って再生音声情報を作成して転送する第１の処理と、音声情報が入った音声ファイルの音声情報に必要な加工合成を行った音声ファイルを作成して転送する第２の処理とを行う送信音声情報作成手段と、前記送信音声情報作成手段の第１の処理により作成された再生音声情報の転送を受けてこれを送信する処理と、前記送信音声情報作成手段の第２の処理により作成された音声ファイルの転送を受けてこれを送信する処理を行う音声送信手段とを具備し、前記検出手段がコンピュータにおけるＣＰＵボードにより構成され、前記送信音声情報作成手段がオーディオボードにより構成され、前記音声送信手段が通信制御ボードによりにより構成されており、前記ＣＰＵボードは前記指示を前記オーディオボードへ送りまた前記通信制御ボードへ送信要求を送るものであり、前記オーディオボードは前記ＣＰＵボードからの要求に基づき作成した再生音声情報または音声ファイルを前記通信制御ボードへ転送するものであり、前記通信制御ボードは前記オーディオボードから転送された再生音声情報または音声ファイルを前記制御ボードによる送信要求に応じて送信するものであることを特徴とする。
【０００８】
本発明に係る音声情報通信システムは、予測される事象に対応して音声情報を有する音声ファイルを保持するディスクにより構成される記憶媒体と、音声を再生して送信する事象が発生したのか、音声ファイルを送信する事象が発生したのかを検出すると共に、発生した事象に対応する音声情報が入った音声ファイルから音声情報の再生を指示し、また、発生した事象に対応する音声情報が入った音声ファイルを指示する検出手段と、前記検出手段による指示を受け、前記音声ファイルにおける音声情報を再生し必要な加工合成を行って再生音声情報を作成して転送する第１の処理と、音声情報が入った音声ファイルの音声情報に必要な加工合成を行った音声ファイルを作成して転送する第２の処理とを行う送信音声情報作成手段と、前記送信音声情報作成手段の第１の処理により作成された再生音声情報の転送を受けてこれを送信する処理と、前記送信音声情報作成手段の第２の処理により作成された音声ファイルの転送を受けてこれを送信する処理を行う音声送信手段とを具備し、前記検出手段がコンピュータにおけるＣＰＵボードにより構成され、前記送信音声情報作成手段がオーディオボードにより構成され、前記音声送信手段が通信制御ボードによりにより構成されており、前記ＣＰＵボードは前記指示を前記オーディオボードへ送りまた前記通信制御ボードへ送信要求を送るものであり、前記オーディオボードは前記ＣＰＵボードからの要求に基づき作成した再生音声情報または音声ファイルを前記通信制御ボードへ転送するものであり、前記通信制御ボードは前記オーディオボードから転送された再生音声情報または音声ファイルを前記制御ボードによる送信要求に応じて送信するものであることを特徴とする音声情報送信装置と、音声情報を有する音声ファイルを保持するディスクにより構成される記憶媒体と、音声ファイルの音声情報から再生された再生音声情報のいずれをも受信する音声受信手段と、この音声受信手段により受信された再生音声情報をスピーカから出力する音声信号へ変換すると共に、音声ファイルの音声情報をスピーカへ出力する音声信号へ変換する音声信号変換手段と、前記音声受信手段と前記音声信号変換手段とを制御して受信信号を前記スピーカから発生させるように制御する制御手段とを具備し、前記音声受信手段と前記音声信号変換手段と前記制御手段がそれぞれ、前記音声情報送信装置のコンピュータと異なるコンピュータにおける通信制御ボード、オーディオボード、ＣＰＵボードにより構成されていることを特徴とする。
【０００９】
【発明の実施の形態】
以下添付図面を参照して本発明に係る音声情報送信装置、音声情報受信装置及び音声情報通信システムを説明する。各図において同一の構成要素には同一の符号を付して重複する説明を省略する。図１には、本発明に係る音声情報送信装置、音声情報受信装置及びこれらを用いて構成した音声情報通信システムが示されている。同図に示されるように、音声情報通信システムを構成する音声情報送信装置１００と音声情報受信装置２００は回線網３００を介して接続され、音声情報の送受を行う。音声情報送信装置１００と音声情報受信装置２００は、例えば、パーソナルコンピュータ等のコンピュータにより構成される。
【００１０】
音声情報送信装置１００は、送信局装置１１０と送信機１２０を備え、音声情報受信装置２００は、受信局装置２１０、受信機２２０、音声増幅器２３０及びスピーカ２４０を備えている。送信局装置１１０には、各部の制御などを行うＣＰＵが搭載されたＣＰＵボード１１１、音声情報の生成及び処理などを行うオーディオボード１１２、送信に係る情報を所定のフォーマットに乗せるなどの通信制御を行う通信制御ボード１１３、伝送プロトコル制御等を行う伝送制御ボード１１４、回線の接続及び開放等に関する制御を行い、送信する情報を送信機へ送出する回線制御ボード１１５が設けられている。音声情報送信装置１００は、前述の通り、パーソナルコンピュータ等により構成されるものであるから、上記以外に入力装置、表示装置、記憶装置等が備えられている。
【００１１】
また、受信局装置２１０には、各部の制御などを行うＣＰＵが搭載されたＣＰＵボード２１１、受信機２２０を介して着信時の回線の接続やその後の開放等に関する制御等を行う回線制御ボード２１５、伝送プロトコル制御等を行う伝送制御ボード２１４、送信に係る所定のフォーマットの情報を分解するなどの通信制御を行う通信制御ボード２１３、音声情報を再生して音声信号化等の処理などを行い、音声増幅器２３０へ出力するオーディオボード２１２が設けられている。音声増幅器２３０は所定の増幅を行いスピーカ２４０から音声を出力する。音声情報受信装置２００は、前述の通り、パーソナルコンピュータ等により構成されるものであるから、上記以外に入力装置、表示装置、記憶装置等が備えられている。
【００１２】
上記送信局装置１１０を機能ブロック図により示すと図２の通りである。即ち、ＣＰＵボード１１１により実現される主制御部１１１Ａと事象判定部１１１Ｂ、オーディオボード１１２により実現される音声処理部１１２Ａ、通信制御ボード１１３により実現される通信制御部１１３Ａ、伝送制御ボード１１４により実現される伝送制御部１１４Ａ、回線制御ボード１１５により実現される回線制御部１１５Ａである。上記において、事象判定部１１１Ｂはプログラムにより実現され、例えば、キー入力により音声情報送出に関する所定入力がなされたか、又は、どのセンサ信号入力がなされたか等の事象を判定し、対応する音声情報の送出を決定する。
【００１３】
上記受信局装置２１０を機能ブロック図により示すと図３の通りである。即ち、ＣＰＵボード２１１により実現される主制御部２１１Ａと事象判定部２１１Ｂ、オーディオボード２１２により実現される音声処理部２１２Ａ、通信制御ボード２１３により実現される通信制御部２１３Ａ、伝送制御ボード２１４により実現される伝送制御部２１４Ａ、回線制御ボード２１５により実現される回線制御部２１５Ａである。上記において、事象判定部２１１Ｂはプログラムにより実現され、例えば、到来する音声情報に関してどのような音声情報が到来したか等の事象を判定し、対応する処理を決定する。
【００１４】
以上のように構成されたシステムにおいて、対応する音声情報を送信する再生音声自動送信事象の動作を図４に示すフローチャートにより、対応する音声情報が入ったファイル自体を送信する音声ファイル自動送信事象の動作を図５に示すフローチャートにより、それぞれ説明する。
【００１５】
送信要求が発生すると、図４に示すフローチャートの動作が開始され、主制御部１１１Ａはその要求を保持し（Ｓ１）、次に装置が送信可能であるかどうかを確認し（Ｓ２）、送信可能であれば回線制御部１１５Ａに対し回線の接続を指示して送信機１２０をオンとし（Ｓ３）、事象判定部１１１Ｂに事象確認の処理を移す。
【００１６】
上記ステップＳ２において、送信不可の場合は事象判定部１１１Ｂには処理を移さずに、主制御部１１１Ａにて続けて送信中であるかどうかを確認し（Ｓ４）、送信中であれば再びステップＳ２における送信可かどうかの確認に戻る。しかし、送信不可にも関わらず送信中となっている場合には装置異常と判断し、異常処理を行う（Ｓ５）。
【００１７】
事象判定部１１１Ｂは確認結果により処理が異なるが、送信事象判定の結果（Ｓ６）、再生音声自動送信事象であることを検出した場合は、再生音声自動送信要求（パラメータを含む）を持って主制御部１１１Ａへ制御を移す。制御を移された主制御部１１１Ａは伝送制御部１１４Ａの伝送路の設定切替えを完了させる（Ｓ７）。
【００１８】
次に主制御部１１１Ａは、通信制御部１１３Ａに対して送信要求を送り、音声処理部１１２Ａに対して音声情報が入った音声ファイルから音声情報の再生を指示する。音声処理部１１２Ａは加工・合成が必要か否かを判定し（Ｓ８）、必要な場合には加工・合成を行って（Ｓ９）、更に音声ファイルから音声情報を再生し（Ｓ１０）、通信制御部１１３Ａに対して音声情報を転送する。通信制御部１１３Ａは決められた音声信号をプロトコルで伝送制御部１１４Ａから送られるように送出し、回線制御部１１５Ａから回線へ送出する。
【００１９】
このとき主制御部１１１Ａは送信完了を検出し（Ｓ１１）、送信完了でなければステップＳ８へ戻り動作が続けられる。送信完了となった場合には、回線制御部１１５Ａを介して送信機１２０をオフとし（Ｓ１２）、伝送制御部１１４Ａにおける伝送路の切り戻しを行い（Ｓ１３）、終了となる。尚、ステップＳ６においてその他の事象と判定した場合には、主制御部１１１Ａは伝送制御部１１４Ａの伝送路の設定切替えを完了させ（Ｓ１４）、所定の処理を行いステップＳ１２、Ｓ１３へ進んで処理を行う。
【００２０】
音声ファイル自動送信事象の場合には、図５に示されるように再生音声自動送信の場合と同様にステップＳ１〜Ｓ６へ進み、送信事象判定の結果（Ｓ６）、音声ファイル自動送信事象であることを検出した場合は、音声ファイル自動送信要求（パラメータを含む）を持って主制御部１１１Ａへ制御が移される。この後の動作はほぼ図４に示した再生音声自動送信の場合と同様の処理が行われる。
【００２１】
ただ、主制御部１１１Ａが音声処理部１１２Ａに対して指示するのは音声ファイルの再生ではなく、音声ファイルそのものを通信制御部１１３Ａへ転送することである。つまり、図４におけるステップＳ１０を行うことなく処理が進められることである。以下図４において説明した動作が行われ、送信が完了すると主制御部１１１Ａは、回線制御部１１５Ａによる回線切断を行わせて、続いて伝送制御部１１４Ａの伝送路の設定切戻しを済ませて全動作を終了する。
【００２２】
上記に対して受信局装置２１０では、受信機２２０を介して着信有りが回線制御部２１５Ａから主制御部２１１Ａへ通知され、伝送プロトコル制御により伝送制御部２１４Ａが信号の送受を行い、通信制御部２１３Ａにより音声情報又は音声ファイルの受信が行われる。音声情報が得られた場合には音声処理部２１２Ａにおいて音声情報を音声信号化し、音声ファイルの場合にはファイルから音声情報を再生して更に音声信号を得る処理をを行い、音声増幅器２３０へ出力する。音声増幅器２３０は所定の増幅を行いスピーカ２４０から音声を出力する。
【００２３】
以上説明したように本実施の形態では汎用コンピュータを主体としたハードウェアのスロットにオーディオ処理機能を行うオーディオボード１１２、２１２を収容し、リアルタイムＯＳを基盤とした処理を可能としているのでシステム構成機器を少なく、安価に構成できる。また、音声情報としてＷＡＶ等の音声ファイル形式を使用可能であるので、アプリケーション・ソフト（自作、他作を問わない）により保存や加工・合成等の扱いが簡単に行える。
【００２４】
更に、汎用コンピュータ主体なので光ディスクといった半永久的使用の可能な記憶媒体を選択することが容易である。また、汎用コンピュータの入力処理はＧＵＩへと進んでいるため、装置そのものの操作性の向上が期待できる。回線種別を選ばないシステム構築が可能である。上記実施の形態の説明では、単方向のみの装置やシステム構成を示しているが、全二重、半二重といった双方向伝送システムを構築することも可能である。
【００２５】
更に、音声情報は受信して再生するだけでなく、音声情報（音声ファイル）として記録・蓄積も可能であり、音声応答システム、音声通報システム、音声警報システム、音声案内システム、音声情報のアップロード等の様々な応用が考えられる等の利点がある。
【００２６】
【発明の効果】
以上説明したように本発明に係る音声情報送信装置によれば、予測される事象に対応して音声情報が記憶された音声情報ファイルを備え、事象が生じると、音声情報ファイルの対応する音声情報を用いた送信音声情報を作成し、この作成された音声情報を送信するので、音声情報ファイルを用いて処理を素早く適切にした音声情報の送信が可能となる。
【００２７】
また本発明に係る音声情報受信装置によれば、到来する音声情報の受信、この受信された音声情報をスピーカから出力する音声信号への変換、受信信号をスピーカから発生させるようにする制御がコンピュータにおける異なるボードにより実現されているので、構成の簡素化及び小型化を図ることができ、従来の磁気テープなどに比べて物理的な消耗が少なく適切に音声情報の保存を図ることが可能な媒体の採用も可能である。
【００２８】
また、本発明に係る音声情報通信システムは、音声情報ファイルを用いて処理を素早く適切にした音声情報の送信が可能であり、構成の簡素化及び小型化を図ることができ、従来の磁気テープなどに比べて物理的な消耗が少なく適切に音声情報の保存を図ることが可能な媒体の採用も可能である。
【図面の簡単な説明】
【図１】本発明に係る音声情報通信システムの一実施例を示すブロック図。
【図２】本発明の音声情報通信システムの送信局装置の機能ブロック図。
【図３】本発明の音声情報通信システムの受信局装置の機能ブロック図。
【図４】本発明の音声再生送信の動作を説明するためのフローチャート。
【図５】本発明の音声ファイル送信の動作を説明するためのフローチャート。
【図６】従来の音声情報送信システムの構成例を示す機能ブロック図。
【符号の説明】
１００  音声情報送信装置            １１０  送信局装置
１１１、２１１  ＣＰＵボード        １１２、２１２  オーディオボード
１１３、２１３  通信制御ボード      １１４、２１４  伝送制御ボード
１１５、２１５  回線制御ボード      １２０  送信機
２００  音声情報受信装置            ２１０  受信局装置
２２０  受信機                      ２３０  音声増幅器
２４０  スピーカ
【図１】
0004187896.tif 000002
【図２】
0004187896.tif 000003
【図３】
0004187896.tif 000004
【図４】
0004187896.tif 000005
【図５】
0004187896.tif 000006
【図６】
0004187896.tif 000007